(57)【要約】【課題】  乳頭部表面と的確に接触する薬物層が装着されたドナーを備えるイオントフォレーシス装置を提供する。【解決手段】  ドナー１の周辺部に絶縁部を介してレセプター６を備えるイオントフォレーシスデバイスにおいて、前記ドナー１は、略中央部に製剤を保持する薬物貯留部２Ｃと、この薬物貯留部２Ｃの周囲にこの薬物貯留部２Ｃを乳頭部の高さに応じて上下動させるための同心円状のヒダが形成された伸縮部２Ｂ及び皮膚接触部２Ａからなるドナー支持体２と、電極３と、薬物層４と、粘着剤とからなり、前記レセプター６はレセプター支持体７と電極８と電解質含有粘着剤とからなり、前記ドナー１の周縁部に絶縁部を介して前記レセプター６を配置する。【選択図】  図１
2012135360.tif 000002
【特許請求の範囲】
【請求項１】
ドナーの周辺部に絶縁部を介してレセプターを備えるイオントフォレーシスデバイスにおいて、前記ドナーは、略中央部に製剤を保持する薬物貯留部と、該薬物貯留部の周囲に該薬物貯留部を乳頭部の高さに応じて上下動させるための同心円状のヒダが形成された伸縮部及び皮膚接触部からなるドナー支持体と、電極と、薬物層と、粘着剤とからなり、前記レセプターはレセプター支持体と電極と電解質含有粘着剤とからなり、前記ドナーの周縁部に絶縁部を介して前記レセプターを配置することを特徴とするイオントフォレーシスデバイス。
【請求項２】
請求項１記載のイオントフォレーシスデバイスにおいて、前記ドナーおよび前記レセプターは、電気回路部及びケーブルから構成される導電部と接続され、前記レセプターを前記ドナーから絶縁部を介して乳房及びその周辺皮膚に配置し、前記ドナーと前記レセプターとをそれぞれ前記電気回路部にケーブルで接続することを特徴とするイオントフォレーシスデバイス。
【請求項３】
請求項１記載のイオントフォレーシスデバイスにおいて、前記ドナーと前記レセプターとを同一の支持部材で一体的に構成することを特徴とするイオントフォレーシスデバイス。
【請求項４】
請求項１記載のイオントフォレーシスデバイスにおいて、前記ヒダの高さが２．５〜１３ｍｍであることを特徴とするイオントフォレーシスデバイス。
【請求項５】
請求項１記載のイオントフォレーシスデバイスにおいて、前記ヒダの数が１つであることを特徴とするイオントフォレーシスデバイス。
【請求項６】
請求項１記載のイオントフォレーシスデバイスにおいて、前記ヒダの数が２つであることを特徴とするイオントフォレーシスデバイス。
【請求項７】
請求項１記載のイオントフォレーシスデバイスにおいて、前記ヒダの数が３つであることを特徴とするイオントフォレーシスデバイス。
【請求項８】
請求項１〜７の何れか一項記載のイオントフォレーシスデバイスにおいて、前記ドナー支持体の材質をシリコンとすることを特徴とするイオントフォレーシスデバイス。
【発明の詳細な説明】
【技術分野】
【０００１】
本発明は、イオントフォレーシスデバイスに係り、特に乳癌及び／又は乳腺炎の治療に用いる、同心円状の凹凸が形成されたドナーとそのドナー周辺部に絶縁部を介して形成されたレセプターからなり、そのドナー及びレセプターに接続されるように導電部が配置されるイオントフォレーシスデバイスに関するものである。
【背景技術】
【０００２】
従来、このようなイオントフォレーシスデバイスとしては、経皮吸収用パッチやイオントフォレーシスデバイスにおいて、これらを皮膚又は粘膜に貼り付けたままの状態で、薬物あるいは薬物イオンの投与を任意に断続できるような構成としたもの（下記特許文献１参照）、薬物イオンの投与効率の低下や皮膚界面におけるｐＨ値の急激な変動を解消できるようにしたもの（下記特許文献２参照）、電極構造体が皮膚又は粘膜に正常に装着されたかどうか判断できるようにしたもの（下記特許文献３参照）が開示されている。更に、乳癌及び／又は乳腺炎治療用イオントフォレーシス製剤として、非ステロイド系消炎鎮痛剤及び／又は抗癌剤を、通電により乳頭部から乳腺内へ局所投与する製剤（下記特許文献４参照）が開示されている。
【０００３】
また、乳頭に装着する器具として、硬質の外側部材と外側部材より柔軟な変形し易い材料でなる内側部材とを備え内側に内部空間を形成する乳頭保護具（下記特許文献５参照）が提案されている。
更に、乳頭の大きさは一般に個人差があるが、２００名（４００乳房）の乳頭を計測し、直径１．３ｃｍ±０．３ｃｍ（平均±標準偏差）、高さ０．９ｃｍ±０．３ｃｍ（平均±標準偏差）であることが報告（下記非特許文献１参照）されている。
【先行技術文献】
【特許文献】
【０００４】
【特許文献１】特開２００８−１９４０９１号公報
【特許文献２】特開２００８−０８６５３８号公報
【特許文献３】特開２００８−０３６０１０号公報
【特許文献４】特許第４０００１８５号公報
【特許文献５】特開２００９−２９９２２５号公報
【非特許文献】
【０００５】
【非特許文献１】臨床解剖研究会記録，Ｎｏ．７，ｐｐ．１６−１７，２００７
【発明の概要】
【発明が解決しようとする課題】
【０００６】
しかしながら、上記したイオントフォレーシス装置及び製剤においては、乳癌及び／又は乳腺炎の治療のため、乳頭から薬物を投与することに適したイオントフォレーシスデバイスは実現されていないのが現状である。
乳頭部を含む乳房に適用できるイオントフォレーシス装置は、例えばブラジャーのパッド型のような立体的な形状が挙げられるが、製造することが困難であったり、保存時にかさばる等の問題がある。
【０００７】
また、乳頭部を保護する乳頭保護具は、乳頭部に対して非接触を保つように保護して使用者の乳頭部に痛みや不快な刺激を与えないものであり、乳頭に製剤を接触させて投与することができないものである。
本発明は、上記状況に鑑みて、乳頭部表面と的確に接触する薬物層が充填されたドナーを備えるイオントフォレーシス装置を提供することを目的とする。
【課題を解決するための手段】
【０００８】
本発明は、上記目的を達成するために、
〔１〕ドナーの周辺部に絶縁部を介してレセプターを備えるイオントフォレーシスデバイスにおいて、前記ドナーは、略中央部に製剤を保持する薬物貯留部と、この薬物貯留部の周囲にこの薬物貯留部を乳頭部の高さに応じて上下動させるための同心円状のヒダが形成された伸縮部からなるドナー支持体と、電極と、薬物層と粘着剤とからなり、前記レセプターはレセプター支持体と電極と電解質含有粘着剤からなり、前記ドナーの周縁部に絶縁部を介して前記レセプターを配置することを特徴とする。
【０００９】
〔２〕上記〔１〕記載のイオントフォレーシスデバイスにおいて、前記ドナーおよび前記レセプターは、導電部に接続され、該導電部は、電力を供給する電気回路部を備え、前記レセプターを前記ドナーから絶縁部を介して乳房及びその周辺皮膚に配置し、前記ドナーと前記レセプターとをそれぞれ前記電気回路部にケーブルで接続することを特徴とする。
【００１０】
〔３〕上記〔１〕記載のイオントフォレーシスデバイスにおいて、前記ドナーと前記レセプターは、別々に構成若しくは同一の支持部材で一体的に構成することを特徴とする。
〔４〕上記〔１〕記載のイオントフォレーシスデバイスにおいて、前記ヒダの高さが２．５〜１３ｍｍであることを特徴とするイオントフォレーシスデバイス。
〔５〕上記〔１〕記載のイオントフォレーシスデバイスにおいて、前記ヒダの数が１つであることを特徴とするイオントフォレーシスデバイス。
【００１１】
〔６〕上記〔１〕記載のイオントフォレーシスデバイスにおいて、前記ヒダの数が２つであることを特徴とする。
〔７〕上記〔１〕記載のイオントフォレーシスデバイスにおいて、前記ヒダの数が３つであることを特徴とする。
〔８〕上記〔１〕〜〔７〕の何れか一項記載のイオントフォレーシスデバイスにおいて、前記ドナー支持体の材質をシリコンとすることを特徴とする。
【発明の効果】
【００１２】
本発明によれば、乳頭部へのドナーの接触を的確に行い、様々な高さの乳頭に追従して製剤を接触させることができる。
また、嵩張らないので、包装・保管が容易である。さらに、装着も容易であり、使用感が良好である。
ドナーとレセプターを別部品とする場合には、製造も容易である。
【図面の簡単な説明】
【００１３】
【図１】本発明のイオントフォレーシスデバイスの一例を示す全体概略構成図である。
【図２】本発明のイオントフォレーシスデバイスの一例を示す全体分解斜視図である。
【図３】本発明のイオントフォレーシスデバイスの利用者への装着状態を示す図面代用写真である。
【図４】本発明のイオントフォレーシスデバイスのドナー支持体の形状（その１）を示す断面図である。
【図５】本発明のイオントフォレーシスデバイスのレセプターの構造を示す断面図である。
【図６】本発明のイオントフォレーシスデバイスのドナー支持体の形状（その２）を示す断面図である。
【図７】本発明のイオントフォレーシスデバイスのドナー支持体の形状（その３）を示す断面図である。
【図８】本発明のイオントフォレーシスデバイスのドナー支持体の形状（その４）を示す断面図である。
【図９】イオントフォレーシスデバイスのドナーの使用感の評価試験の様子を示す図面代用写真である。
【図１０】本発明のドナー・レセプター一体型イオントフォレーシスデバイスを示す平面図である。
【図１１】図１０のＣ−Ｃ線断面図である。
【図１２】本発明のドナー・レセプター一体型イオントフォレーシスデバイスを示す斜視図である。
【発明を実施するための形態】
【００１４】
本発明のドナーの周辺部に絶縁部を介してレセプターを備え、ドナー及びレセプターに接続されるように電気回路部とケーブルで構成される導電部が配置されるイオントフォレーシスデバイスは、前記ドナーは略中央部に製剤を保持する薬物貯留部と、この薬物貯留部の周囲にこの薬物貯留部を乳頭部の高さに応じて上下動させるための同心円状のヒダが形成された伸縮部並びに皮膚接触部からなるドナー支持体と、電極と、薬物層と、粘着剤とからなり、前記レセプターはレセプター支持体と電極と電解質含有粘着剤からなり、前記ドナーの周縁部に絶縁部を介して前記レセプターを配置する。
【実施例】
【００１５】
以下、本発明の実施の形態について詳細に説明する。
まず、ドナーの構造について説明する。
図１は本発明のイオントフォレーシスデバイスの一例を示す全体概略構成図、図２はそのイオントフォレーシスデバイスの一例を示す全体分解斜視図、図３はそのイオントフォレーシスデバイスの装着状態を示す図面代用写真であり、図３（ａ）はその斜視図、図３（ｂ）はその上面図である。図４は本発明のイオントフォレーシスデバイスのドナー支持体の形状（その１）を示す断面図、図５はそのレセプターの構造を示す断面図である。
【００１６】
これらの図において、１はドナーであり、皮膚接触部２Ａと伸縮部２Ｂと薬物貯留部２Ｃとからなるドナー支持体２と、電極３と、薬物層４と、皮膚接触部２Ａに積層される粘着剤５とから構成されている。電極３にはドナーのリード部１ｂを介してドナーの接続端子１ａが配置されている。６はレセプターであり、レセプター支持体７と、電極８と、電解質含有粘着剤９と、絶縁部１０とから構成される。レセプター支持体７にはレセプターの接続端子６ａが形成されている。また、１１，１１Ａ，１１Ｂはケーブル、１２ａ，１２ｂ，１２ｃはケーブル１１，１１Ａ，１１Ｂの接続部、１３は電気回路部、１３Ａはスイッチ、１３ＢはＬＥＤ表示灯である。
【００１７】
図１及び図２に示すように、ドナー１の電極３にはリード１ｂと接続端子１ａを介してケーブル１１Ａの接続部１２ｂが、レセプター６の電極８には接続端子６ａを介してケーブル１１Ｂの接続部１２ｃが接続され、それらのケーブル１１Ａ，１１Ｂはケーブル１１の接続部１２ａを介して電気回路部１３に接続されている。なお、電気回路部１３には電源（図示なし）、スイッチ１３Ａ，ＬＥＤ表示灯１３Ｂが配置されている。
【００１８】
ドナー支持体２は、図４に示すように、その中央部に形成される薬物貯留部２Ｃの周りには同心円状の２つのヒダ２Ｂ−１からなる伸縮部２Ｂが形成されている。例えば、ドナー支持体２の材質はシリコンゴムであり、ヒダ２Ｂ−１の厚さは０．３ｍｍ、その高さは５．６ｍｍである。このドナー支持体２の薬物貯留部２Ｃに電極３および薬物層４が配置されている。
【００１９】
このような構成のドナー１の薬物層４を乳頭に装着すると、薬物層４が乳頭上部表面に接触するとともに、伸縮部２Ｂの同心円状のヒダ２Ｂ−１によって高さが任意に変化し、薬物層４が乳頭上部表面に密着する。このドナー１の乳頭への密着性、立体への変形の円滑性、使用感は極めて良好である。
一方、レセプター６はドナー１とは絶縁部１０を介して、電解質含有粘着剤９により乳房に貼り付ける。
【００２０】
ドナー１とレセプター６は上記したようにそれぞれケーブル１１，１１Ａ，１１Ｂで電気回路部１３に接続されているので、この電気回路部１３からドナー１とレセプター６に電力を供給すると、イオン浸透効果によって薬物層４中の薬物が乳頭から乳管を介して乳腺組織内の患部に移行する。
図６は本発明のイオントフォレーシスデバイスのドナー支持体の形状（その２）を示す断面図であり、図６（ａ）は保管時の形状を示す図、図６（ｂ）は装着時（伸ばした時）の形状を示す図である。
【００２１】
図６に示すドナー２１のドナー支持体２２は、その中央部に形成される薬物貯留部２２Ｃの周りには同心円状の３つのヒダ２２Ｂ−１からなる伸縮部２２Ｂが形成されている。例えば、ドナー支持体２２のヒダ２２Ｂ−１の厚さは０．３ｍｍ、その高さは４．０ｍｍである。
なお、２２Ａは皮膚接触部、２３は電極、２４は薬物層であり、ヒダの数以外の構成は図４に示すものと同様である。
【００２２】
図７は本発明のイオントフォレーシスデバイスのドナー支持体の形状（その３）を示す断面図である。
図７に示すドナー３１のドナー支持体３２は、その中央部に形成される薬物貯留部３２Ｃの周りには同心円状の４つのヒダ３２Ｂ−１からなる伸縮部３２Ｂが形成されている。例えば、ドナー支持体３２のヒダ３２Ｂ−１の厚さは０．３ｍｍ、その高さは３．５ｍｍである。
【００２３】
なお、３２Ａは皮膚接触部、３３は電極、３４は薬物層であり、ヒダの数以外の構成は図４に示すものと同様である。
図８は本発明のイオントフォレーシスデバイスのドナー支持体の形状（その４）を示す断面図である。
図８に示すドナー４１のドナー支持体４２は、その中央部に形成される薬物貯留部４２Ｃの周りに同心円状の１つのヒダ４２Ｂ−１からなる伸縮部４２Ｂが形成されている。例えば、ドナー支持体４２のヒダ４２Ｂ−１の厚さは０．３ｍｍ、その高さは１０．９ｍｍである。
【００２４】
なお、４２Ａは皮膚接触部、４３は電極、４４は薬物層であり、ヒダの数以外の構成は図４に示すものと同様である。
次に、イオントフォレーシスデバイスのドナーの使用感の評価（密着強度の数値化）について説明する。
図９はイオントフォレーシスデバイスのドナーの使用感の評価試験の様子を示す図面代用写真であり、図９（ａ）はテクスチャーアナライザー〔英弘精機（株）ＴＡ−ＸＴ２ｉ〕と押し出し治具（５ｍｍφステンレス板）を示す図面代用写真、図９（ｂ）は測定開始前の状態を示す図面代用写真、図９（ｃ）は測定中の状態を示す図面代用写真である。
【００２５】
これらの図に示すように、イオントフォレーシスデバイスのドナー５１をテクスチャーアナライザー５２にセットして、ドナー５１の薬物貯留部５３に押し出し治具５４を配置する。その状態でテクスチャーアナライザー５２を定速１ｍｍ／ｓｅｃで２０ｍｍ稼働した際の押し出し治具５４に掛かる負荷ｇを測定する。すなわち、図９（ｃ）に示すように、押し出し治具５４を押し込む力Ａとドナー５１のヒダの戻り力Ｂとがバランスして押し出し治具５４に掛かる負荷時の荷重（ｇ）を得ることができる。なお、ここでは、押し出し治具５４を５ｍｍ又は１０ｍｍ押した時の力積（荷重−時間面積）を算出した（上記非特許文献１より、乳頭の直径を１．３ｃｍ、乳頭の高さを、５ｍｍ又は１０ｍｍと想定）。
【００２６】
その結果、イオントフォレーシスデバイスのドナーの使用感の評価を表１に示すように得ることができた。
【００２７】
【表１】
2012135360.tif 000003
これによれば、シリコンゴム製のドナー支持体の形状（その１〜４）の各ドナー（シリコンゴム硬度３０〜６０度）では、力積が少なく良好な使用感を得ることができた。これに対して、アクリル樹脂からなる比較例は、力積が大きいため使用感が悪く、装着時に乳頭が曲がるといった問題があった。
【００２８】
なお、上記したドナー支持体の材質としてはシリコンゴムを示したが、これに限定されるものではなく、柔軟性があり、絶縁物で、加工しやすく、有害性がなく、劣化しにくいものであればよく、例えば、ＰＥ（ポリエチレン）、ＰＥＴ（ポリエチレンテレフタレート）基材、ポリウレタン、ＰＣ（ポリカーボネート）樹脂などを用いるようにしてもよい。
【００２９】
また、電極の材質としては、導電性があり、抵抗値が低く、加工しやすく、耐久性・耐腐食性に優れたものが望ましく、例えば、カーボンペースト、銀ペーストが好ましいが、このほかにも、導電性シリコーン（カーボン入りシリコーン）、導電性不織布、カーボンペーストインク、銀ペーストインク、銅箔、金メッキ、金属線類を用いるようにしてもよい。
【００３０】
また、薬物層として用いるドナー用製剤としては、含水系の液剤、ゲル剤、貼付剤等が挙げられる。ここで、液剤及びゲル剤は、有効成分、溶剤、基剤、可溶化剤、粘稠化剤、安定剤、界面活性剤、ｐＨ調整剤、防腐剤、電解質で構成され、貼付剤は、液剤及びゲル剤の構成成分に加え、充填剤、架橋剤（硬化剤）、粘着剤、粘着増強剤で構成される。
粘着剤としては、ポリアクリル酸、ポリアクリル酸ナトリウム、ポリアクリル酸部分中和物、Ｎ−ビニルアセトアミド−アクリル酸共重合体等の水溶性粘着性基剤等が挙げられる。これらは、１種又は２種以上を組み合わせて用いることができる。
【００３１】
有効成分である非ステロイド系消炎沈痛剤としては、インドメタシン、アセメタシン、サリチル酸、サリチル酸ナトリウム、アスピリン、アセトアミノフェン、ジクロフェナックナトリウム、アンフェナックナトリウム、イブプロフェン、スリンダック、ナプロキセン、ケトプロフェン、フルフェナム酸、イブフェナック、フェンブフェン、アルクロフェナック、フェニルブタゾン、メフェナム酸、ベンザダック、ピロキシカム、フルルビプロフェン、ペンタゾシン、塩酸ブプレノフィン、酒石酸ブトルファノール、セレコキシブ、ロフェコキシブ、バルデコキシブ、エトリコキシブ、ルミラコキシブ、パレコキシブＮａ、エトドラク、ＮＳ−３９８、メロキシカム等が挙げられる。このうち、インドメタシン、セレコキシブが、乳頭部から乳腺内への吸収効率の点で好ましく、特にインドメタシンが好ましい。
【００３２】
別の有効成分である抗癌剤としては、イホスファミド、シクロフォスファミド等のアルキル化剤；カルボプラチン、シスプラチン、ネダプラチン、オキサリプラチン等の白金化合物；塩酸イリノテカン、エトポシド、ドセキタクセル水和物、硫酸ビンクリスチン、硫酸ビンブラスチン、パクリタキセル、酒石酸ビノレルビン等の植物性抗癌剤；リン酸ミプロキシフェン、クエン酸タモキシフェン、塩酸ファドロゾール水和物、フルタミド、酢酸メドロキシプロゲステロン等のホルモン類；塩酸ドキソルビシン、塩酸イダルビシン、ジノスタチンスチマラマー、塩酸ダウノルビシン、塩酸プレオマイシン、塩酸エピルビシン、塩酸ミトキサントロン、塩酸ピラルビシン、マイトマイシンＣ等の抗腫瘍性抗生物質；カルモフール、シタラビン、ドキシフルリジン、ヒドロキシカルバミド、メトトレキサート、メルカプトプリン、塩酸ゲムシタビン、フルオロウラシル、カペシタピン等の代謝拮抗剤；ラクトン型シクロヘプタペプチド構造の直鎖状サーファクチン、トラスツズマム等のモノクローナル抗体等が挙げられる。このうち、リン酸ミプロキシフェン等のホルモン類、フルオロウラシル等の代謝拮抗剤が、乳頭部から乳腺内への吸収効率の点で好ましく、特にリン酸ミプロキシフェン、フルオロウラシル（特に、５−フルオロウラシル）が好ましい。
【００３３】
溶剤としては、水；エチレングリコール、ジエチレングリコール、トリエチレングリコール、エチレングリコールモノエチルエーテル、エチレングリコールモノブチルエーテル、ジエチレングリコールモノメチルエーテル、ポリエチレングリコール、プロピレングリコール、ジプロピレングリコール、１，３−ブチレングリコール、ジプロピレングリコールポリエチレングリコール、２−エチル−１，３−ヘキサンジオール、ポリプロピレングリコール２０００、ポリプロピレングリコール、（濃）グリセリン、バチルアルコール、ペンタエリトリトール、Ｄ−ソルビトール液等の多価アルコール；エタノール、イソプロピルアルコール、ベンジルアルコール、ラウリルアルコール、セタノール、ステアリルアルコール、オレイルアルコール、ラノリンアルコール等のアルコール；アジピン酸ジイソプロピル、トリアセチン、セバシン酸ジイソプロピル、トリイソオクタン酸、炭素数が６〜１２の中鎖脂肪酸トリグリセリド等のエステル類；クロタミトン等のケトン類等が挙げられ、これらは１種又は２種以上を組み合わせて用いることができる。
【００３４】
基剤としては、アルギン酸ナトリウム、エチルセルロース、カラギーナン、カルメロースナトリウム、カンテン、キサンタンガム、ゼラチン、カオリン、ベントナイト、モンモリナイト、酸化亜鉛、酸化チタン、無水ケイ酸、Ｄ−ソルビトール、タルク、テルペン樹脂、ヒドロキシプロピルセルロース、ヒドロキシプロピルメチルセルロース等が挙げられる。
【００３５】
可溶化剤としては、塩酸、ショ糖脂肪酸エステル、大豆レシチン、乳酸、Ｎ−メチル−２−ピロリドン、ラウロマクロゴール等が挙げられる。
粘稠化剤としては、カルボキシビニルポリマー、尿素、ポリビニルアルコール、メタリン酸ナトリウム等が挙げられる。
安定剤としては、ビタミンＥ、ブチルヒドロキシアニソール等の抗酸化剤、アスコルビン酸、亜硫酸水素ナトリウム、チオ硫酸ナトリウム等の還元剤、クエン酸ナトリウム、酒石酸ナトリウム、レシチン、ＥＤＴＡ等の相乗化剤等が挙げられる。
【００３６】
界面活性剤としては、ステアリン酸カルシウム、ステアリン酸マグネシウム、ラウリル硫酸ナトリウム等の陰イオン性界面活性剤、塩化ベンザルコニウム、塩化ベンゼトニウム、塩化セチルピリジニウム等の陽イオン性界面活性剤、モノステアリン酸グリセリル、ショ糖脂肪酸エステル、ポリオキシエチレン硬化ヒマシ油、ポリオキシエチレンソルビタン脂肪酸エステル等の非イオン性界面活性剤等が挙げられる。
【００３７】
ｐＨ調整剤としては、クエン酸、クエン酸ナトリウム、塩酸、グリシン、コハク酸、酢酸、ジイソプロパノールアミン、酒石酸、水酸化カリウム、水酸化ナトリウム、乳酸、ホウ酸、リンゴ酸、燐酸等が挙げられる。
防腐剤としては、パラオキシ安息香酸メチル、フェノール、クレゾール等のフェノール性物質、クロロブタノール、フェニルエチルアルコール等の中性物質、塩化ベンザルコニウム、塩化ベンゼトニウム等の逆性石鹸、安息香酸、ソルビン酸、デヒドロ酸、サリチル酸等の酸性物質が挙げられる。
【００３８】
電解質としては、塩化ナトリウム、塩化カリウム、臭化ナトリウム、塩化カルシウム、臭化カルシウム等が挙げられる。
充填剤としては、カオリン、含水二酸化ケイ素、酸化亜鉛、酸化チタン、二酸化ケイ素等が挙げられる。
架橋剤（硬化剤）としては、乾燥水酸化アルミニウムゲル、水酸化アルミニウムマグネシウム、ケイ酸アルミン酸マグネシウム、メタケイ酸アルミン酸マグネシウム、合成ヒドロサルタイト、ジヒドロキシアルミニウムアミノアセテート等が挙げられる。
【００３９】
粘着剤としては、ポリアクリル酸、ポリアクリル酸ナトリウム、ポリアクリル酸部分中和物、Ｎ−ビニルアセトアミド−アクリル酸共重合体等の水溶性粘着性基剤等が挙げられる。これらは、１種又は２種以上を組み合わせて用いることができる。
粘着増強剤としては、エステルガム、脂環族飽和炭化水素樹脂、脂肪族炭化水素樹脂、ポリブテン、ロジン等の疎水性粘着性基剤が挙げられる。これらは、１種又は２種以上を組み合わせて用いることができる。
【００４０】
皮膚接触部に積層される粘着剤としては、ポリアクリル酸、ポリアクリル酸ナトリウム、ポリアクリル酸部分中和物、Ｎ−ビニルアセトアミド−アクリル酸共重合体等の水溶性粘着性基剤等が挙げられる。これらは、１種又は２種以上を組み合わせて用いることができる。更に、エステルガム、脂環族飽和炭化水素樹脂、脂肪族炭化水素樹脂、ポリブテン、ロジン等の疎水性粘着性基剤が挙げられる。これらは、１種又は２種以上を組み合わせて用いることができる。
【００４１】
レセプターに用いる電解質含有粘着剤としては、テクノゲル（積水化成品工業）、ゲルロード（タキロン製）、ニトフロン半導電性粘着テープ（日東電工製）、金属箔／銅メッキ繊維テープ（３Ｍ製）等が挙げられ、粘着性及び皮膚への安全性の観点からテクノゲルが好ましい。
また、本発明では、ドナーとレセプターとを分離した方式のものについて述べたが、ドナーとレセプターとは同一の保持体により一体的に構成するようにしてもよい。
【００４２】
図１０は本発明のドナー・レセプター一体型イオントフォレーシスデバイスを示す平面図、図１１はそのイオントフォレーシスデバイスのＣ−Ｃ線断面図、図１２はそのイオントフォレーシスデバイスの斜視図である。
これらの図において、６１はドナーであり、皮膚接触部６２Ａと伸縮部６２Ｂと薬物貯留部６２Ｃからなるドナー支持体６２と、電極６３と、薬物層６４と、皮膚接触部６２Ａに積層される粘着剤６５とからなる。電極６３にはドナーのリード部６１ｂを介してドナーの接続端子が配置されている。６６はドナー６１と一体に形成されるレセプターであり、レセプター支持体６７と、電極６８と、電解質含有粘着剤６９とからなり、レセプター支持体６７にはレセプターの接続端子６６Ａが形成されている。
【００４３】
このように、ドナー支持体６２とレセプター支持体６７からなる同一の保持体により一体的に構成し、ドナー６１とレセプター６６とを一体化させることができる。
なお、本発明は上記実施例に限定されるものではなく、本発明の趣旨に基づき種々の変形が可能であり、これらを本発明の範囲から排除するものではない。
【産業上の利用可能性】
【００４４】
本発明のイオントフォレーシスデバイスは、乳がん及び／又は乳腺炎の治療に好適なイオントフォレーシスデバイスとして利用可能である。
【符号の説明】
【００４５】
１，２１，３１，４１，５１，６１    ドナー
１ａ    ドナーの接続端子
１ｂ，６１ｂ    ドナーのリード部
２，２２，３２，４２，６２    ドナー支持体
２Ａ，２２Ａ，３２Ａ，４２Ａ，６２Ａ    皮膚接触部
２Ｂ，２２Ｂ，３２Ｂ，４２Ｂ，６２Ｂ    伸縮部
２Ｂ−１，２２Ｂ−１，３２Ｂ−１，４２Ｂ−１    同心円状のヒダ
２Ｃ，２２Ｃ，３２Ｃ，４２Ｃ，５３，６２Ｃ    薬物貯留部
３，８，２３，３３，４３，６３，６８    電極
４，２４，３４，４４，６４    薬物層
５，６５    粘着剤
６，６６    レセプター
６ａ，６６ａ    レセプターの接続端子
７，６７    レセプター支持体
９，６９    電解質含有粘着剤
１０    絶縁部
１１，１１Ａ，１１Ｂ    ケーブル
１２ａ，１２ｂ，１２ｃ    ケーブルの接続部
１３    電気回路部
１３Ａ    スイッチ
１３Ｂ    ＬＥＤ表示灯
５２    テクスチャーアナライザー
５４    押し出し治具
【図１】
2012135360.tif 000004
【図２】
2012135360.tif 000005
【図４】
2012135360.tif 000006
【図５】
2012135360.tif 000007
【図６】
2012135360.tif 000008
【図７】
2012135360.tif 000009
【図８】
2012135360.tif 000010
【図９】
2012135360.tif 000011
【図１０】
2012135360.tif 000012
【図１１】
2012135360.tif 000013
【図１２】
2012135360.tif 000014
【図３】
2012135360.tif 000015